(57)【要約】【課題】導光板と色補正フィルムとが密着することによって生じる出射光の色ムラを抑制するとともに、機械的強度を向上させた照明装置を提供する。【解決手段】光出射部（２０）の背部において、導光板（３）と色補正フィルム（４）とに挟持され、導光板（３）と色補正フィルム（４）との間隔を維持するスペーサ（１０）が設けられている。【選択図】図１
2015179621.tif 000002
【特許請求の範囲】
【請求項１】
光出射部の背部に、導光板と、色補正フィルムと、反射シートとが、上記光出射部側からこの順に設けられており、
上記導光板から上記光出射部とは反対側へ出射された光を、上記反射シートによって反射させ、上記色補正フィルムおよび上記導光板を順に透過させて上記光出射部から出射する照明装置であって、
上記光出射部の背部には、上記導光板と上記色補正フィルムとに挟持され、上記導光板と上記色補正フィルムとの間隔を維持するスペーサが設けられていることを特徴とする照明装置。
【請求項２】
上記スペーサは導体であり、
上記導光板および上記色補正フィルムは、上記スペーサを介して接地されていることを特徴とする請求項１に記載の照明装置。
【請求項３】
シャーシをさらに備えており、
上記スペーサは上記シャーシに電気的に接続されていることを特徴とする請求項２に記載の照明装置。
【請求項４】
上記スペーサの表面は、光反射性を有することを特徴とする請求項１〜３の何れか１項に記載の照明装置。
【請求項５】
上記スペーサの一端は、上記導光板に接触しており、
上記スペーサの他端は、上記色補正フィルムに接触しており、
上記スペーサの一端と上記導光板との接触面、および上記スペーサの他端と上記色補正フィルムとの接触面のうち少なくとも何れか一方の接触面の面積は、平面視において、上記スペーサが占める面積よりも小さいことを特徴とする請求項１〜４の何れか１項に記載の照明装置。
【発明の詳細な説明】
【技術分野】
【０００１】
本発明は、エッジ型バックライトを用いた照明装置に関する。
【背景技術】
【０００２】
鉄道駅構内などにおいて、内照式の看板（コルトン看板）が用いられている。コルトン看板は、コルトンと、コルトンの背面から光を出射する看板照明装置とからなる。
【０００３】
図８は、従来の看板照明装置５００の構成を示す図であり、（ａ）は分解斜視図であり、（ｂ）は断面図である。図８の（ａ）に示すように、看板照明装置５００は、拡散板１と、ベゼル２と、導光板３と、枠状スペーサ５１０と、色補正フィルム４と、反射シート５と、シャーシ６とを備えており、各部材はこの順に配されている。図８の（ｂ）に示すように、導光板３の側面に沿ってＬＥＤ光源７が設けられている。ＬＥＤ光源７から出射され導光板３の内部に入射した光は、導光板３の内部において導光され、その一部は導光板３の前面側に面状光として出射され、光出射部２０から外部に出射される。
【０００４】
また、看板照明装置５００は、導光板３の背面側に出射される光を、色補正フィルム４を透過させ、反射シート５で反射することによって、コルトン看板に適した色温度に調整して光出射部２０から出射する。
【０００５】
色補正フィルム４を用いて光の色温度を適切に補正するために、導光板３と色補正フィルム４とは所定の間隔を空けて設ける必要があり、看板照明装置５００では、導光板３と色補正フィルム４との間に枠状スペーサ５１０が設けられている。
【先行技術文献】
【特許文献】
【０００６】
【特許文献１】特開２０１０−１０７８４２号公報（２０１０年５月１３日公開）
【発明の概要】
【発明が解決しようとする課題】
【０００７】
しかしながら、色補正フィルム４は一般的に可撓性のある部材であるため、導光板３と色補正フィルム４とが互いに密着することがあり、この場合、出射光に色ムラを生じる。なお、特許文献１には、導光板と反射シートとを備える液晶表示装置において、導光板と反射シートとの密着によってユニフォミティが低下することが記載されている。
【０００８】
以下、導光板３と色補正フィルム４とが密着する要因の一例を、図９を参照して説明する。図９は、静電気の影響を説明するための従来の看板照明装置の断面図である。図９の（ａ）に示すように、導光板３と色補正フィルム４とが摺動することによって静電気が生じ、誘電分極によって向かい合う面に異極の電荷が蓄積する。
【０００９】
図９の（ｂ）に示すように、導光板３と色補正フィルム４とが帯電した場合、静電引力によって導光板３と色補正フィルム４とが引き合い、密着する。ここで、枠状スペーサ５１０は、非光出射部２１の背部に設けられており、光出射部２０の背部には設けられていない。そのため、枠状スペーサ５１０では、光出射部２０の背部において導光板３と色補正フィルム４との間隔を保つことができず、導光板３と色補正フィルム４とが互いに密着する。
【００１０】
図９の（ｃ）に示すように、導光板３と色補正フィルム４とが密着した箇所（密着箇所）では、色補正フィルム４による色補正効果が必要以上に強調される。そのため、密着箇所を通る光の色温度は、密着箇所を通らない光の色温度と異なるものとなり、出射光に色ムラを生じてしまう。その結果、看板照明装置５００を用いたコルトン看板では、表示品位が低下する。
【００１１】
そこで、本発明は、上記の課題に鑑みなされたものであって、その目的は、エッジライト型の照明装置において、導光板と色補正フィルムとが密着することによって生じる出射光の色ムラを抑制することができる照明装置を提供することにある。
【課題を解決するための手段】
【００１２】
上記の課題を解決するために、本発明の一態様に係る照明装置は、光出射部の背部に、導光板と、色補正フィルムと、反射シートとが、上記光出射部側からこの順に設けられており、上記導光板から上記光出射部とは反対側へ出射された光を、上記反射シートによって反射させ、上記色補正フィルムおよび上記導光板を順に透過させて上記光出射部から出射する照明装置であって、上記光出射部の背部には、上記導光板と上記色補正フィルムとに挟持され、上記導光板と上記色補正フィルムとの間隔を維持するスペーサが設けられていることを特徴とする。
【発明の効果】
【００１３】
本発明の一態様によれば、導光板と色補正フィルムとが密着することによって生じる出射光の色ムラを抑制するとともに、機械的強度を向上させたエッジライト型の照明装置を提供することができる。
【図面の簡単な説明】
【００１４】
【図１】本発明の実施形態１に係る看板照明装置の構成を示す断面図である。
【図２】本発明の実施形態１に係る看板照明装置の構成を示す分解斜視図である。
【図３】本発明の実施形態１に係る看板照明装置の内部における光の進路を示す図である。
【図４】本発明の実施形態１に係る看板照明装置のスペーサの形状の例を示す斜視図である。
【図５】本発明の実施形態２に係る看板照明装置の構成を示す断面図である。
【図６】本発明の実施形態３に係る看板照明装置の構成を示す断面図である。
【図７】看板照明装置の構成を示す図であり、（ａ）は本発明の実施形態４に係る看板照明装置の断面を示し、（ｂ）は本発明の実施形態４に係る看板照明装置のスペーサの一部を示し、（ｃ）は参考例の看板照明装置の断面を示す。
【図８】従来の看板照明装置の構成を示す図であり、（ａ）は分解斜視図であり、（ｂ）は断面図である。
【図９】静電気の影響を説明するための従来の看板照明装置の断面図である。
【発明を実施するための形態】
【００１５】
〔実施形態１〕
以下、本発明の実施形態１の照明装置について、図１〜４に基づいて詳細に説明する。なお、以下の説明では、看板用に用いる看板照明装置について説明するが、本発明の照明装置は、看板照明装置に限定されるものではない。
【００１６】
＜看板照明装置＞
図１は、本実施形態の看板照明装置の構成を示す断面図である。図２は、本実施形態の看板照明装置の構成を示す分解斜視図である。図１は、図２の看板照明装置１００のＡ−Ａ’線矢視断面図に対応する。
【００１７】
図２に示すように、看板照明装置１００（照明装置）は、拡散板１と、ベゼル２と、導光板３と、スペーサ１０と、色補正フィルム４と、反射シート５と、シャーシ６とを備えており、各部材はこの順に配されている。以下の説明では、看板照明装置１００において、拡散板１側を前面側（光出射部側）とし、シャーシ６側を背面側とする。
【００１８】
ベゼル２は、枠状の部材であり、中央に開口部を有している。看板照明装置１００は、前面側に、光を出射する部分である光出射部２０と、光を出射しない部分である非光出射部２１とを備えている。光出射部２０は、ベゼル２の開口部によって規定されており、非光出射部２１は、ベゼルのフレーム部によって規定されている。
【００１９】
図１に示すように、非光出射部２１の背部において、導光板３とベゼル２との間には弾性部材８が設けられている。これにより、導光板３とベゼル２との間からの漏光を抑制するとともに、導光板３がベゼル２に接触することによる導光板３の損傷を抑制している。
【００２０】
また、看板照明装置１００は、導光板３の側面に沿って設けられたＬＥＤ光源７を備えている。ＬＥＤ光源７は、ＬＥＤ基板７Ａと、ＬＥＤ基板７Ａ上に配されたＬＥＤ発光素子７Ｂ（ＬＥＤパッケージ）とを備えている。ＬＥＤ光源７から出射される光は、導光板３の側面から導光板３の内部に入射する。導光板３に入射した光は、導光板３の内部において導光され、その一部は導光板３の前面側に面状光として出射される。すなわち、本実施形態の看板照明装置１００は、エッジライト型の看板照明装置である。エッジライト型の看板照明装置は、直下型のものに比べて薄型化することができる。
【００２１】
導光板３と色補正フィルム４との間には、金網状のスペーサ１０が設けられている。これにより、導光板３および色補正フィルム４は、所定の間隔を維持して設けられている。スペーサ１０の詳細な構成については後述する。
【００２２】
色補正フィルム４は、反射シート５の前面側の面に貼り付けられている。
【００２３】
反射シート５は、シャーシ６の前面側の面に貼り付けられている。なお、反射シート５とシャーシ６とが密着することを防止するために、図２の破線３０で示す箇所であって、反射シート５とシャーシ６との間に、スペーサ部材を設けてもよい。
【００２４】
図３は、本実施形態の看板照明装置の内部における光の進路を示す図である。図中の矢印は、光の進路を示す。導光板３の内部において導光された光の一部は、導光板３の背面側に出射される。導光板３の背面側に反射シート５が設けられていることによって、図３に示すように、導光板３から光出射部２０とは反対側へ出射された光は、反射シート５によって反射され、光出射部２０から出射される。
【００２５】
シャーシ６は、上述した導光板３、色補正フィルム４、反射シート５、ＬＥＤ光源７を収納する部材である。
【００２６】
＜色補正フィルム＞
色補正フィルム４は、自身を透過する光の色温度を補正するものである。
【００２７】
ＲＧＢの各画素を備えた液晶表示装置の場合、各画素における液晶パネルの透過率を制御することによって、表示面から出射される光の色温度を自在に調整することができる。
【００２８】
これに対して、看板照明装置では、液晶パネルに対応する部材を備えていないため、光出射部から出射される光の色温度を自在に調整することができない。本実施形態の看板照明装置１００では、光源から出射される光を、コルトン看板に適した色温度の光とするために、導光板３と反射シート５との間に、色補正フィルム４が設けられている。
【００２９】
これにより、導光板３の背面側に出射される光を、色補正フィルム４を透過させ、反射シート５で反射させることによって、好ましい色温度に調整された光を光出射部２０から出射することができる。
【００３０】
＜スペーサ＞
図１に示すように、看板照明装置１００は、導光板３と色補正フィルム４との間隔を維持し、導光板３と色補正フィルム４とが密着することを防止するために、導光板３と色補正フィルム４とに挟持されたスペーサ１０を備えている。スペーサ１０は、少なくとも光出射部２０の背部に設けられているが、図１に示すように、非光出射部２１の背部に設けられていてもよい。
【００３１】
図２に示すように、看板照明装置１００では、ハニカム構造のスペーサ１０を用いている。スペーサ１０は、表面の光反射性および防錆性が高いことが好ましく、例えば、アルミニウムを用いることができる。
【００３２】
光出射部２０の背部において、導光板３と色補正フィルム４との間隔は、スペーサ１０によって維持されているため、導光板３と色補正フィルム４との密着（接触、癒着）を抑制することができる。これにより、光出射部２０から出射される出射光における色ムラの発生を抑制することができる。その結果、コルトン看板の表示品位の低下を抑制することができる。
【００３３】
さらに、導光板３がスペーサ１０に支えられることによって、導光板３の変形が抑制される。これにより、スペーサ１０を設けない場合に比べて、導光板３の表面に垂直な方向の圧力に対する看板照明装置１００の剛性が向上し、その結果、看板照明装置１００の機械的強度が向上する。
【００３４】
スペーサ１０として、金属光沢があり、表面の光反射性が高いものを用いた場合、図３に示すように、スペーサ１０に入射する光を反射し、光出射部２０へ導くことができる。これにより、ＬＥＤ光源７から出射される光を有効に利用することができる。
【００３５】
図４はスペーサの形状の例を示す斜視図であり、（ａ）はハニカム構造のスペーサの斜視図であり、（ｂ）は格子構造のスペーサの斜視図であり、（ｃ）はスリット構造のスペーサの斜視図である。
【００３６】
図４に示すように、スペーサ１０は、複数の支柱部１１（１１Ａ、１１Ｂ、１１Ｃ）を一体に備えた構造の部材である。複数の支柱部１１は、平面視において互いに異なる方向に延びており、平面視において互いに交差している。
【００３７】
具体的には、図４の（ａ）において、スペーサ１０は、図中横方向に延びる支柱部１１Ｂと、平面視において支柱部１１Ｂとのなす角が１２０°である支柱部１１Ａと、平面視において支柱部１１Ａとのなす角が１２０°である支柱部１１Ｃとを備えている。平面視において、支柱部１１Ａと支柱部１１Ｂとは互いに交差し、支柱部１１Ａと支柱部１１Ｃとは互いに交差している。
【００３８】
また、図４の（ｂ）において、スペーサ１０は、図中縦方向に延びる支柱部１１Ａと、図中横方向に延びる支柱部１１Ｂとを備えている。そして、支柱部１１Ａと支柱部１１Ｂとは、平面視において互いに交差している。
【００３９】
また、図４の（ｃ）において、スペーサ１０は、図中縦方向に延びる支柱部１１Ｂと、図中横方向に延びる支柱部１１Ａとを備えている。そして、支柱部１１Ａと支柱部１１Ｂとは、平面視において互いに交差している。
【００４０】
上記の構成によれば、広い範囲において、導光板３と色補正フィルム４との間隔を維持し、導光板３と色補正フィルム４とが密着することを防止することができる。さらに、スペーサ１０の剛性を高め、看板照明装置１００の機械的強度を向上させることができる。
【００４１】
なお、支柱部１１同士の間隔が小さい方が、導光板３と色補正フィルム４とが密着することをより確実に防止することができ、また、機械的強度をより向上させることができる。ただし、支柱部１１同士の間隔が小さくなると、平面視においてスペーサ１０が占める面積が大きくなり、光出射部２０から出射される光量が少なくなる。
【００４２】
そのため、スペーサ１０の支柱部１１の形状（平面視における幅、長さ、及び互いに平行な支柱部１１同士の間隔）は、出射すべき光量、求められる機械的強度、色補正フィルム４の可撓性などを考慮して決定される。すなわち、スペーサ１０はこのように決定された形状であればよく、特に、スペーサ１０の平面視における形状および高さ方向の形状は任意であって、図４の例に限定されるものではない。
【００４３】
上述のように、スペーサ１０として、様々な形状のものを用いることができる。また、スペーサ１０として、図４の例のように複数の支柱部を一体に備えた構造の部材でなく、単体の支柱状の部材を用いてもよい。
【００４４】
また、スペーサ１０として、透明な部材を用いてもよい。透明な部材として、例えばアクリル樹脂を用いてもよい。スペーサ１０として、透明な部材を用いることによって、スペーサ１０の側面における光の反射、およびスペーサ１０の内部の屈折透過によって、導光板３から出射される光を無駄なく効率的に光出射部２０から出射することができる。
【００４５】
ただし、スペーサ１０として透明な部材を用いるときは、導光板３及び色補正フィルム４のいずれか一方または両方と、スペーサ１０との接触面積をできるだけ小さくすることが好ましい。これを満足しない場合、導光板３と色補正フィルム４とが密着しているのと等価になるためである。導光板３及び色補正フィルム４のいずれか一方とスペーサ１０との接触面積を小さくした構成、並びに、導光板３及び色補正フィルム４とスペーサ１０との接触面積を小さくした構成については、それぞれ、実施形態３，４で詳細に説明する。
【００４６】
ここで、コルトン看板は、民生機器よりも厳しい環境条件下で使用される。例えば鉄道駅構内で用いられるコルトン看板は、列車がホームに進入する度に強烈な風圧に晒される。平板状の看板照明装置は、強い圧力を受けると故障する場合がある。そのため、看板照明装置は、民生機器に比べて高い機械的強度が要求される。
【００４７】
本実施形態の看板照明装置１００は、導光板３と色補正フィルム４とに挟持され、導光板３と色補正フィルム４との間隔を維持するスペーサ１０を備えている。これにより、導光板３がスペーサ１０に支えられ、導光板３の変形が抑制される。そのため、導光板３の表面に垂直な方向の圧力に対する看板照明装置１００の剛性が高く、その結果、看板照明装置１００の機械的強度が高いものとなる。
【００４８】
なお、特許文献１の液晶表示装置は、導光板と反射シートとを備えており、反射シートの表面には間隔保持部が設けられている。特許文献１には、反射シートにシワが生じた場合であっても、導光板と反射シートとが密着することを防ぎ、輝度ムラの発生を抑制することができると記載されている。しかしながら、特許文献１の間隔保持部は、本実施形態の看板照明装置１００のスペーサ１０のように、導光板３と色補正フィルム４との間隔を維持するものではない。詳細に説明すると、特許文献１の間隔保持部は、その高さが導光板と反射シートとの本来の間隔よりも小さいため、導光板と反射シートとの間隔が本来の間隔であるときには導光板に接触しておらず、反射シートに十分大きなシワが生じた状態で初めて導光板に接触する。そのため、導光板は表面に垂直な方向の圧力に対して変形し易く、液晶表示装置の剛性は低い。すなわち、特許文献１の間隔保持部は、液晶表示装置の剛性には寄与していない。
【００４９】
〔実施形態２〕
本発明の他の実施形態について、図５に基づいて説明すれば、以下のとおりである。なお、説明の便宜上、前記実施形態にて説明した部材と同じ機能を有する部材については、同じ符号を付記し、その説明を省略する。
【００５０】
図５は、本実施形態の看板照明装置２００（照明装置）の構成を示す断面図である。看板照明装置２００では、スペーサとして、導体のスペーサ２１０を用いている。図５に示すように、看板照明装置２００は、スペーサ２１０から導線２１１が引き延ばされており、導線２１１は、半田２１２によって導体であるシャーシ６に接続されている。なお、導線２１１をビス止めによってシャーシ６に接続してもよい。また、導線２１１を介さずに、スペーサ２１０とシャーシ６とを直接接続してもよい。
【００５１】
上記の構成により、スペーサ２１０は、シャーシ６に電気的に接続されている。さらには、スペーサ２１０は導光板３および色補正フィルム４に接触しているため、シャーシ６と、導光板３と、色補正フィルム４とは、スペーサ２１０を介して互いに電気的に接続されている。これにより、導光板３と色補正フィルム４とを、スペーサ２１０を介して接地することができる。
【００５２】
導光板３と色補正フィルム４とに静電気が生じ、誘電分極により向かい合う面に異極の電荷が蓄積した場合、静電引力によって看板照明装置２００の周囲を舞う塵埃が引き寄せられ、看板照明装置２００に塵埃が付着する場合がある。特に、看板照明装置２００を鉄道駅構内などに設置した場合、列車がホームに進入する度に大量に舞い散るほこりに晒され、看板照明装置２００に大量の塵埃が付着する。
【００５３】
本実施形態の看板照明装置２００によれば、導光板３および色補正フィルム４に蓄積した電荷をシャーシ６に逃がすことができる。すなわち、導光板３および色補正フィルム４は、シャーシ６に電気的に接続されているため、電荷が蓄積しない。
【００５４】
これにより、看板照明装置２００に塵埃が付着することを抑制することができる。さらには、図９を参照して説明した様な、静電引力による導光板３と色補正フィルム４との密着を抑制することができる。
【００５５】
看板照明装置２００では、スペーサ２１０として、導電性を有する透明な部材を用いてもよい。例えば、導電性を有する透明なスペーサ２１０として、網状構造の透明プラスチックに対して、導電性透明フィルムを張り付けたもの、または導電性高分子を薄膜状に蒸着したものを用いてもよい。または、透明なフィルム状部材、またはガラス板などに、導電性高分子を薄膜状に蒸着したものを用いてもよい。
【００５６】
スペーサ２１０として、導電性を有する透明な部材を用いることによって、上述したように、導光板３および色補正フィルム４は、シャーシ６に電気的に接続されるため、看板照明装置２００に塵埃が付着することを抑制し、静電引力による導光板３と色補正フィルム４との密着を抑制することができる。さらに、スペーサ２１０の側面における光の反射、およびスペーサ２１０の内部の屈折透過によって、導光板３から出射される光を無駄なく効率的に光出射部２０から出射することができる。
【００５７】
〔実施形態３〕
本発明の他の実施形態について、図６に基づいて説明すれば、以下のとおりである。なお、説明の便宜上、前記実施形態にて説明した部材と同じ機能を有する部材については、同じ符号を付記し、その説明を省略する。
【００５８】
図６は、本実施形態の看板照明装置３００の構成を示す断面図である。
【００５９】
図６に示すように、看板照明装置３００（照明装置）では、スペーサ３１０は、三角柱の形状を有しており、その断面形状は三角形である。そして、スペーサ３１０は、三角柱の１つの側面が色補正フィルム４に接触しており、上記側面に対向する一辺（稜）が導光板３に接触している。
【００６０】
そのため、スペーサ３１０の一端と導光板３との接触面の面積は、スペーサ３１０の他端と色補正フィルム４との接触面の面積よりも小さい。これにより、スペーサ３１０の一端と導光板３との接触面の面積は、平面視においてスペーサ３１０が占める面積よりも小さい。
【００６１】
なお、反対に、三角柱の１つの側面が導光板３に接触しており、上記側面に対向する一辺が色補正フィルム４に接触していることによって、スペーサ３１０の他端と色補正フィルム４との接触面の面積が、平面視においてスペーサ３１０が占める面積よりも小さくてもよい。すなわち、看板照明装置３００のスペーサ３１０は、導光板３側または色補正フィルム４側の何れか一方の接触面積が、平面視においてスペーサ３１０が占める面積よりも小さくなる構造を有している。
【００６２】
スペーサ３１０と導光板３および色補正フィルム４とが接触している場合、光出射部２０において出射される光の強度または色温度は、スペーサ３１０に対応するムラを生じる。具体的には、スペーサ３１０が透明部材である場合、スペーサ３１０を通る光の色温度は、導光板３と色補正フィルム４とが密着している場合に出射される光の色温度と同等となる。そのため、導光板３と色補正フィルム４が部分的に密着している場合と同様に、色ムラを生じてしまう。また、スペーサ３１０が不透明部材である場合、スペーサ３１０に対応して光量が低い部分が生じてしまう。
【００６３】
そのため、スペーサ３１０に対応するムラ（光量ムラまたは色ムラ）が目立たないようにするために、スペーサ３１０と、導光板３および色補正フィルム４との接触面の面積は、小さい方が好ましい。看板照明装置３００によれば、上記形状のスペーサ３１０を有していることによって、機械的強度を低下させることなく、スペーサ３１０に対応する光のムラを軽減することができる。
【００６４】
〔実施形態４〕
本発明の他の実施形態について、図７に基づいて説明すれば、以下のとおりである。なお、説明の便宜上、前記実施形態にて説明した部材と同じ機能を有する部材については、同じ符号を付記し、その説明を省略する。
【００６５】
図７は、看板照明装置の構成を示す図であり、（ａ）は本実施形態に係る看板照明装置４００の断面を示し、（ｂ）は本実施形態に係る看板照明装置のスペーサ４１０の一部を示し、（ｃ）は参考例の看板照明装置４０１の断面を示す。
【００６６】
図７の（ａ）に示すように、看板照明装置４００（照明装置）では、スペーサ４１０は、四角柱の形状を有しており、その断面はひし形である。そして、スペーサ４１０は、四角柱の１つの辺（稜）が色補正フィルム４に接触しており、上記１つの辺に対向する位置にある辺（稜）が、導光板３に接触している。
【００６７】
そのため、スペーサ４１０の一端と導光板３との接触面の面積、およびスペーサ４１０の他端と色補正フィルム４との接触面の面積は、平面視においてスペーサ４１０が占める面積よりも小さい。
【００６８】
さらに、スペーサ４１０は、平面視において互いに異なる方向に延び、互いに交差する複数の支柱部１１を備えていることによって、平面視において全体として網状の構造を有している。具体的には、スペーサ４１０は、図４などを参照して説明したような、ハニカム構造、格子構造、またはスリット構造を有している。
【００６９】
看板照明装置４００によれば、上記形状のスペーサ４１０を有していることによって、スペーサ４１０と、導光板３および色補正フィルム４との接触部の面積を小さくすることができる。これにより、機械的強度を低下させることなく、スペーサ４１０に対応するムラを軽減することができる。
【００７０】
なお、図７の（ｃ）に示す参考例の看板照明装置４０１のように、単体の支柱部からなるスペーサ４１０を用いた場合、四角柱形状を有するスペーサ４１１の辺の部分で導光板３および色補正フィルム４と接触させて固定することは困難であり、スペーサ４１１が倒れ、四角柱の側面の部分で導光板３および色補正フィルム４と接触してしまう。
【００７１】
これに対して、本実施形態のスペーサ４１０は、図７の（ｂ）に示すように、互いに交差する支柱部１１Ａと支柱部１１Ｂとを備えているため、スペーサ４１０と色補正フィルム４との接触面の形状もまた交差している。そのため、スペーサ４１０と、導光板３および色補正フィルム４との接触が小さいにも拘らず、スペーサ４１０は倒れることなく安定して導光板３と色補正フィルム４との間に挟持される。
【００７２】
なお、上記の説明では、スペーサ４１０は、四角柱の形状を有しており、その断面がひし形である場合を例として説明したが、スペーサ４１０の形状はこれに限られない。例えば、スペーサ４１０は円柱形状であり、その断面が円形であってもよい。この場合であっても、スペーサ４１０の一端と導光板３との接触面の面積、およびスペーサ４１０の他端と色補正フィルム４との接触面の面積は、平面視においてスペーサ４１０が占める面積よりも小さい。
【００７３】
〔まとめ〕
本発明の態様１に係る照明装置（看板照明装置１００，２００，３００，４００）は、光出射部（２０）の背部に、導光板（３）と、色補正フィルム（４）と、反射シート（５）とが、上記光出射部側からこの順に設けられており、上記導光板から上記光出射部とは反対側へ出射された光を、上記反射シートによって反射させ、上記色補正フィルムおよび上記導光板を順に透過させて上記光出射部から出射する照明装置であって、上記光出射部の背部には、上記導光板と上記色補正フィルムとに挟持され、上記導光板と上記色補正フィルムとの間隔を維持するスペーサ（１０，２１０，３１０，４１０）が設けられていることを特徴とする。
【００７４】
従来の照明装置では、導光板と色補正フィルムとに異極の電荷が帯電した場合、静電引力によって導光板と色補正フィルムとが引き合い、密着する。特に、導光板と色補正フィルムとが部分的に密着した場合、出射光に色ムラを生じてしまう。
【００７５】
上記の構成によれば、光出射部の背部において、導光板と色補正フィルムとの間隔はスペーサによって維持されるため、導光板と色補正フィルムとに異極の電荷が帯電した場合であっても、導光板と色補正フィルムとの密着を抑制することができる。これにより、出射光の色ムラを抑制することができる。
【００７６】
また、導光板と色補正フィルムとに挟持されたスペーサが設けられていることによって、導光板の変形が抑制されるため、スペーサを設けない場合に比べて剛性を向上させることができ、その結果、照明装置の機械的強度を向上させることができる。
【００７７】
本発明の態様２に係る照明装置は、上記態様１において、上記スペーサは導体であり、上記導光板および上記色補正フィルムは、上記スペーサを介して接地されていてもよい。
【００７８】
上記の構成によれば、導光板および色補正フィルムが帯電することを抑制することができる。これにより、静電引力によって導光板と色補正フィルムとが密着することを抑制するとともに、塵埃が照明装置に付着することを抑制することができる。
【００７９】
本発明の態様３に係る照明装置は、上記態様２において、シャーシ（６）をさらに備えており、上記スペーサは上記シャーシに電気的に接続されていてもよい。
【００８０】
上記の構成によれば、簡易な構成によって導光板および色補正フィルムを接地することができる。なお、上記シャーシとしては、上記導光板および上記色補正フィルムを収納するシャーシが、スペーサとの接続距離が短くなり好ましい。
【００８１】
本発明の態様４に係る照明装置は、上記態様１〜３の何れかにおいて、上記スペーサの表面は、光反射性を有する構成であってもよい。
【００８２】
上記の構成によれば、スペーサの表面において光を反射することができるため、導光板から出射される光を、効率的に光出射部から出射することができる。
【００８３】
本発明の態様５に係る照明装置は、上記態様１〜３の何れかにおいて、上記スペーサは、透明であってもよい。
【００８４】
上記の構成によれば、スペーサの側面における光の反射、およびスペーサの内部の屈折透過によって、導光板から出射される光を、効率的に光出射部から出射することができる。
【００８５】
本発明の態様６に係る照明装置は、上記態様１〜５の何れかにおいて、上記スペーサの一端は、上記導光板に接触しており、上記スペーサの他端は、上記色補正フィルムに接触しており、上記スペーサの一端と上記導光板との接触面、および上記スペーサの他端と上記色補正フィルムとの接触面のうち少なくとも何れか一方の接触面の面積は、平面視において、上記スペーサが占める面積よりも小さくてもよい。
【００８６】
スペーサが導光板および色補正フィルムと接触している場合、光出射部において出射される光の強度または色温度は、スペーサに対応するムラを生じる。具体的には、スペーサが透明部材である場合、スペーサを通って出射される光の色温度は、導光板と色補正フィルムが密着している場合に出射される光の色温度と同等となる。そのため、導光板と色補正フィルムが部分的に密着している場合と同様に、色ムラを生じてしまう。また、スペーサが不透明部材である場合、出射される光に、スペーサに対応して光量が低い部分が生じてしまう。
【００８７】
そのため、スペーサと、導光板および色補正フィルムとの接触面の面積は、小さい方が好ましい。上記の構成によれば、スペーサの一端と導光板との接触面、およびスペーサの他端と色補正フィルムとの接触面のうち少なくとも何れか一方の接触面の面積は、平面視において、スペーサが占める面積よりも小さい。これにより、機械的強度を低下させることなく、スペーサに対応する光のムラを軽減することができる。
【００８８】
本発明の態様７に係る照明装置は、上記態様１〜６の何れかにおいて、平面視において、上記スペーサの形状は網状であってもよい。
【００８９】
上記の構成によれば、スペーサの剛性を高め、照明装置の機械的強度を向上させることができる。
【００９０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００９１】
本発明は、コルトン看板用の光源等の照明装置として好適に利用することができる。
【符号の説明】
【００９２】
３  導光板
４  色補正フィルム
５  反射シート
６  シャーシ
１０，２１０，３１０，４１０  スペーサ
１１，１１Ａ，１１Ｂ，４１１  支柱部
２０  光出射部
１００，２００，３００，４００  看板照明装置（照明装置）
【図１】
2015179621.tif 000003
【図２】
2015179621.tif 000004
【図３】
2015179621.tif 000005
【図４】
2015179621.tif 000006
【図５】
2015179621.tif 000007
【図６】
2015179621.tif 000008
【図７】
2015179621.tif 000009
【図８】
2015179621.tif 000010
【図９】
2015179621.tif 000011